(57)【要約】【課題】従来技術で長時間収集した生体の血圧値及び脈波であっても外気温度の変化や被験者の姿勢又は活動状態等の外乱が多く、精度に課題があった。そこで、本願発明は、従来例における上記の課題を解決するため、常時装着して血圧測定ができるとともに、外気温度に影響されにくい核心温の温度変化に追従して常時モニタでき、かつ精度良く被験者の姿勢又は活動状態の情報を収集できる血圧測定装置を提供することを目的とする。【解決手段】本願の発明に係る血圧測定装置は、血圧計、温度センサ及び加速度センサを備えることで、常時装着して外耳の一部で血圧値及び脈波を検出する血圧測定ができるとともに、外気温度に影響されにくく、核心温の温度変化の追従性が優れる外耳道内の温度を常時検出することができ、かつ精度良く被験者の姿勢又は活動状態の情報を収集することができる。【選択図】図１
2006204320.tif 000002
【特許請求の範囲】
【請求項１】
外耳道で外耳道内の温度を検出する温度センサと、
外耳の一部で血圧値及び脈波を検出する血圧計と、
少なくとも二軸以上の加速度を検出する加速度センサと、
を備える血圧測定装置。
【請求項２】
前記温度センサ、前記血圧計及び前記加速度センサを外耳の一部に装着する装着部をさらに備えることを特徴とする請求項１に記載の血圧測定装置。
【請求項３】
前記温度センサの検出した外耳道内の温度、前記血圧計の検出した脈波及び前記加速度センサの検出した加速度のうち少なくとも一つと前記血圧計の検出した血圧値を関連付けて記憶する記憶手段をさらに備えることを特徴とする請求項１又は２に記載の血圧測定装置。
【請求項４】
前記加速度センサの検出した加速度を演算して被験者の姿勢又は活動状態を判断する演算部をさらに備えることを特徴とする請求項１から３に記載のいずれかの血圧測定装置。
【請求項５】
前記記憶手段は、前記演算部の判断した前記被験者の姿勢又は活動状態を記憶することを特徴とする請求項４に記載の血圧測定装置。
【請求項６】
前記加速度センサの少なくとも一軸は人体の正中線と平行であり、かつ他の一軸は人体の水平面と矢状面との交線と平行であることを特徴とする請求項１から５に記載のいずれかの血圧測定装置。
【請求項７】
前記血圧計は外耳の一部を圧迫するカフを有することを特徴とする請求項１から６に記載のいずれかの血圧測定装置。
【請求項８】
前記温度センサはサーミスタであり、前記カフの圧迫面に装備されていることを特徴とする請求項７に記載の血圧測定装置。
【請求項９】
前記装着部の一部は外耳道に配置され、前記温度センサは赤外線センサであり、外耳道に配置される前記装着部の一部の先端に装備されていることを特徴とする請求項２から７に記載のいずれかの血圧測定装置。
【発明の詳細な説明】
【技術分野】
【０００１】
本発明は、装着が容易な外耳の一部で血圧値、脈波、外耳道内の温度等の生体情報を検出する血圧測定装置に関するものである。
【背景技術】
【０００２】
近年、生活習慣に深く関連する成人病と呼ばれる健康障害や、高齢者の健康維持への関心が高まり、各種の診断法および予防対策が検討されている。特に、日常生活における血圧、体温、脈拍などの生体情報を連続的に測定することは、健康維持上重要なデータとなることが認識され、生体情報を常時測定する方法が開発されている（例えば、特許文献１参照。）。特許文献１に記載されている血圧記録装置は血圧測定と同時に体温測定を行うものである。
【０００３】
一方、血圧は測定部位の位置（高さ）と心臓の位置（高さ）との差により測定値に誤差を生ずることが知られている。また、被検体の運動、就寝等の活動によっても血圧や体温は大きく変化する。従って、常時生体情報を測定する場合は、被験者の姿勢又は活動状態の情報も同時に収集することが望まれる。人体の姿勢及び活動状態の情報を収集する装置として、２軸検出の加速度センサの２軸が水平面と平行となるように配置した装置を腹部中央にベルトによって装着する装置がある。前記装置では、加速度センサが検出する２軸が水平面と平行となっているために、立位以外の姿勢の時にはこの２軸を含む面と重力加速度方向が垂直でなくなることを利用して姿勢を検出している。また、加速度センサの２軸を含む平面が重力方向と垂直方向であるときには立位であると判定し、このときの各軸が検出する加速度の大きさによって、立位静止、歩行、走行の判定をしている。この技術を応用し、被験者の姿勢変化を捉え自動的に血圧測定を行う血圧測定装置も開発されている（例えば、特許文献２参照。）。
【０００４】
なお、本願では、耳介の名称は非特許文献１に、耳介の軟骨の名称は非特許文献２による。
【特許文献１】特開平０３−２３１６２９号公報
【特許文献２】特開２００４−１９５０７０号公報
【非特許文献１】Ｓｏｂｏｔｔａ  図説人体解剖学第１巻（監訳者：岡本道雄）、ｐ．１２６、（株）医学書院、１９９６年１０月１日発行
【非特許文献２】Ｓｏｂｏｔｔａ  図説人体解剖学第１巻（監訳者：岡本道雄）、ｐ．１２７、（株）医学書院、１９９６年１０月１日発行
【発明の開示】
【発明が解決しようとする課題】
【０００５】
被験者を正確に診断し、疾患予防方法を立案するためには被験者の体温を精度良く測定する必要がある。しかし、血圧計と一体化した温度センサで体温測定を行う場合、例えば血圧測定用のカフを上腕に装着すれば、測定した温度は皮膚の表面の皮膚温であるため外気温度に影響されやすく、また、カフの装着位置によって測定結果が変わりやすいという課題があった。
【０００６】
また、血圧計と一体化した加速度センサで被験者の姿勢又は活動状態の情報も収集する場合、例えば血圧測定用のカフを上腕に装着すれば、加速度センサは腕の動きを捉えることになるため被験者の姿勢又は活動状態を判断するデータを収集したことにはならない。
【０００７】
そこで、本願発明は、従来例における上記の課題を解決するため、常時装着して最高血圧及び最低血圧の血圧値及び脈波を検出する血圧測定ができるとともに、外気温度に影響され難い核心温の温度変化に追従して常時モニタすることができ、かつ精度良く被験者の姿勢又は活動状態の情報を収集できる血圧測定装置を提供することを目的とする。
【課題を解決するための手段】
【０００８】
上記課題を解決するために、本願の発明に係る血圧測定装置は、血圧計、温度センサ及び加速度センサを備え、血圧の判定に必要な血圧値及び脈波や外耳道内の温度や被験者の姿勢又は活動状態の判定に必要な加速度を検出することとした。
【０００９】
具体的には、本願の発明は、外耳道で外耳道内の温度を検出する温度センサと、外耳の一部で血圧値及び脈波を検出する血圧計と、少なくとも二軸以上の加速度を検出する加速度センサと、を備える血圧測定装置である。
【００１０】
前記血圧計を外耳の一部に装着することで被検体の生活に影響及ぼすことなく常時血圧測定をすることができる。また、外耳道内の温度、すなわち外耳道の表面温度は上腕などの皮膚温に比べ、外気温度の影響を受け難い核心温の温度変化の追従性に優れている。従って、前記温度センサにより外耳道内の温度を常時検出することで、被験者の核心温の温度変化を常時モニタすることができる。
【００１１】
また、少なくとも二軸以上の加速度センサを備えることで、被験者の前後方向及び上下方向の加速度を検出でき、被験者の姿勢又は活動状態を把握することができる。
【００１２】
従って、本願の発明に係る血圧測定装置は常時装着して血圧値及び脈波を検出する血圧測定ができるとともに、外気温度に影響され難い核心温の温度変化に追従して常時モニタすることができ、かつ精度良く被験者の姿勢又は活動状態の情報を収集することができる。
【００１３】
本願の発明に係る血圧測定装置において、前記温度センサ、前記血圧計及び前記加速度センサを外耳の一部に装着する装着部をさらに備えてもよい。
【００１４】
前記装着部を備えることで本願の発明に係る血圧測定装置を外耳の一部に確実に装着できる。従って、同一箇所の血圧値、脈波及び同一箇所の外耳道内の温度を検出できるため精度良く血圧測定及び外耳道内の温度測定をすることができる。
【００１５】
また、頭部は作業や運動をしても他の部位に比べ動きは少ない。本願発明に係る血圧測定装置を頭部にある外耳の一部に固定することで、被験者の作業や運動等の外乱の影響が少なくなり、精度良く加速度を検出することができ、被験者の姿勢又は活動状態を正確に判断することができる。
【００１６】
従って、本願の発明に係る血圧測定装置は常時装着して血圧値及び脈波を検出する血圧測定が精度良くできるとともに、外気温度に影響され難い核心温の温度変化を精度よく常時モニタすることができ、かつ精度良く被験者の姿勢又は活動状態の正確な情報を収集することができる。
【００１７】
本願の発明の血圧測定装置において、前記温度センサの検出した外耳道内の温度、前記血圧計の検出した脈波及び前記加速度センサの検出した加速度のうち少なくとも一つと前記血圧計の検出した血圧値を関連付けて記憶する記憶手段をさらに備えてもよい。
【００１８】
前記記憶手段を本願の発明の血圧測定装置に備えることで、前記温度センサの検出した外耳道内の温度、前記血圧計の検出した脈波及び前記加速度センサの検出した加速度のうち少なくとも一つと前記血圧計の検出した血圧値を関連付けて生体情報データとして記憶することができる。
【００１９】
従って、本願の発明に係る血圧測定装置は長期にわたって常時装着して血圧値及び脈波を検出する血圧測定が精度良くできるとともに、外気温度に影響され難い核心温の温度変化を精度よく常時モニタすることができ、かつ精度良く被験者の姿勢又は活動状態の正確な情報を収集することができる。
【００２０】
本願の発明の血圧測定装置において、前記加速度センサの検出した加速度を演算して被験者の姿勢又は活動状態を判断する演算部をさらに備えてもよい。
【００２１】
前記演算部を本願の発明の血圧測定装置に備えることで、前記加速度センサの検出した加速度から被験者の姿勢又は活動状態を判断し、被験者の姿勢に対する血圧値の補正をすることができる。また、被験者の活動状態に対する血圧値、脈波及び外耳道内の温度変化をモニタすることができる。
【００２２】
さらに、前記記憶手段は、前記演算部の判断した前記被験者の姿勢又は活動状態を記憶してもよい。
【００２３】
前記演算部の判断した前記被験者の姿勢又は活動状態の情報量は前記加速度の情報量より少ない。そのため、前記演算部の判断した前記被験者の姿勢又は活動状態を前記記憶手段に記憶させることで前記記憶手段の記憶する情報量を少なくすることができる。
【００２４】
従って、本願の発明に係る血圧測定装置は常時装着して血圧値及び脈波を検出する血圧測定が精度良くできるとともに、外気温度に影響され難い核心温の温度変化に追従して常時モニタすることができ、かつ精度良く被験者の姿勢又は活動状態の情報を収集することができる。また、被験者の姿勢又は活動状態の情報を前記記憶手段に記憶させておけば、少ない情報量を記憶するだけで足りる。
【００２５】
本願の発明の血圧測定装置において、前記加速度センサの少なくとも一軸は人体の正中線と平行であり、かつ他の一軸は人体の水平面と矢状面との交線と平行であることが好ましい。  
【００２６】
被験者の動きには、歩行、走行、飛び跳ね等、前後方向及び上下方向の運動が多い。前記加速度センサの一軸を人体の上下方向の加速度を検出するように人体の正中線と平行に、他の一軸を人体の前後方向の加速度を検出するように人体の水平面と矢状面との交線と平行に配置することで、被験者の姿勢又は活動状態を正確に判断することができる。
【００２７】
従って、本願の発明に係る血圧測定装置は常時装着して血圧値及び脈波を検出する血圧測定ができるとともに、外気温度に影響され難い核心温の温度変化に追従して常時モニタすることができ、かつ精度良く被験者の姿勢又は活動状態の正確な情報を収集することができる。
【００２８】
本願の発明に係る血圧測定装置において、前記血圧計は外耳の一部を圧迫するカフを有することが好ましい。
【００２９】
前記カフを備えることにより、本願の発明に係る血圧測定装置は、血圧測定時に外耳の一部を圧迫する圧力を制御することができ、精度良く血圧測定をすることができる。
【００３０】
従って、本願の発明に係る血圧測定装置は常時装着して血圧値及び脈波を検出する血圧測定が精度良くできるとともに、外気温度に影響され難い核心温の温度変化に追従して常時モニタすることができ、かつ精度良く被験者の姿勢又は活動状態の情報を収集することができる。
【００３１】
本願の発明に係る血圧測定装置において、前記温度センサはサーミスタであり、前記カフの圧迫面に装備されていることが好ましい。
【００３２】
サーミスタは熱を電気抵抗値の値として出力するため、温度センサとしてサーミスタを備えることで前記生体情報データとして処理しやすい。また、小型のサーミスタを前記カフの圧迫面に装備することで血圧測定時にカフが外耳道を圧迫するため前記サーミスタは外耳道の内壁に密着することになり、血圧測定と同時に外耳道内の温度を正確に検出することができる。
【００３３】
従って、本願の発明に係る血圧測定装置は常時装着して血圧値及び脈波を検出する血圧測定ができるとともに、外気温度に影響され難い核心温の温度変化を精度よく常時モニタすることができ、かつ精度良く被験者の姿勢又は活動状態の正確な情報を収集することができる。
【００３４】
本願の発明の血圧測定装置において、前記装着部の一部は外耳道に配置され、前記温度センサは赤外線センサであり、外耳道に配置される前記装着部の一部の先端に装備されていてもよい。
【００３５】
赤外線センサは生体表面から放射される赤外線を受光し電気信号として出力するため、温度センサとして赤外線センサを使用することで前記生体情報データとして処理しやすい。また、応答速度が速いため測定時間の短縮化を図ることができる。さらに、外耳道の深部の外耳道の表面あるいは鼓膜の温度も検出できるため、精度良く核心温の温度変化をモニタすることができる。
【００３６】
従って、本願の発明に係る血圧測定装置は常時装着して血圧値及び脈波を検出する血圧測定ができるとともに、外気温度に影響され難い核心温の温度変化が精度よく常時モニタすることができ、かつ精度良く被験者の姿勢又は活動状態の情報を収集することができる。
【発明の効果】
【００３７】
本願の発明に係る血圧測定装置は常時装着して血圧値及び脈波を検出する血圧測定ができるとともに、外気温度に影響され難い核心温の温度変化に追従して常時モニタすることができ、かつ精度良く被験者の姿勢又は活動状態の情報を収集することができる。
【発明を実施するための最良の形態】
【００３８】
添付の図面を参照して本願発明の実施の形態を説明する。以下に説明する実施の形態は本願発明の構成の例であり、本願発明は、以下の実施の形態に制限されるものではない。
【００３９】
（実施の形態１）
本願の実施形態に係る血圧測定装置は、外耳道で外耳道内の温度を検出する温度センサと、外耳の一部で血圧値及び脈波を検出する血圧計と、少なくとも二軸以上の加速度を検出する加速度センサと、を備える。
【００４０】
図１（Ａ）は、本願の発明の一の実施形態に係る血圧測定装置１１１を示す概略図である。血圧測定装置１１１は図１（Ａ）に示すように一本の棒状のアーム１０、温度センサ１１、血圧計１２、加速度センサ１３を備える。図１（Ａ）において、温度センサ１１、血圧計１２、加速度センサ１３はアーム１０上に配置される。なお、図１および以下の図においては、血圧測定装置１１１に関連する表示部、電源部、その他の通常の技術により実現できる部分は表示していない。
【００４１】
温度センサ１１は測定対象物の表面の温度を検出して、温度情報を電気信号として出力するセンサである。温度センサとしてプローブ部を直接測定対象物の表面に接触させ、接触型のセンサ、例えば、その温度による電気抵抗の変動を測定するサーミスタを使用することができる。また、測定対象物の表面に接触しない非接触型のセンサ、例えば、測定対象物の表面から放射される赤外線を検出し熱起電力として出力する赤外線センサも使用することができる。
【００４２】
血圧計１２は、生体内の血流の脈動状態から最高血圧と最低血圧の血圧値及び脈波を検出する。図１（Ａ）に示す血圧測定装置１１１の血圧計１２は圧力を印加するカフを含む血圧センサの場合を想定して示しているが、圧力を印加するカフを含む血圧センサによる血圧の測定法については後述する。
【００４３】
加速度センサ１３は血圧測定装置１１１に加わる重力加速度Ｇと被験者の姿勢及び活動に伴う加速度を少なくとも二軸で検出し、電気信号として出力するセンサである。
【００４４】
加速度センサとしては、円筒形容器に封入された導電性のある金属球の位置、水銀や電解液の位置が加速度により変動することを利用した一軸加速度センサを二つ以上備えることもできるが、小型で軽量であり、複数の軸の加速度を測定できるマイクロマシンの加速度センサを使用することが望ましい。マイクロマシンの加速度センサとは、例えば、チップの中央にシリコンとガラスを接合したおもりを配置し、前記おもりを複数のはりで支える構造をしている。各はりには、ピエゾ抵抗素子が歪みゲージとして形成されていおり、加速度がかかると、おもりの位置が変位し、はりがたわむ。このときの各はりに設けられたピエゾ抵抗素子の抵抗値の変化量を測定することによって、加速度を定量的に検出することができる。
【００４５】
図１（Ｂ）に血圧測定装置１１１の装着例を示す。血圧測定装置１１１は温度センサ１１が配置されている一端を外耳道９に挿入し、血圧計１２を外耳の一部、例えば耳珠１の内側に接触させるように装着する。図１（Ｂ）において、アーム１０の一部、温度センサ１１及び血圧計１２は外耳道９の内側にあるので破線で示している。
【００４６】
温度センサ１１は外耳道９内に配置されるため、外耳道９表面の皮膚温度（以下、外耳道９表面の皮膚温度を「外耳道温度」とする。）を検出することができる。外耳道温度は外気の影響を受け難い核心温の温度変化の追従性に優れる。そのため、温度センサ１１により外耳道温度を検出することで、被験者の核心温の温度変化をモニタすることができる。
【００４７】
加速度センサ１３で測定した人体の正中線方向の加速度の大きさと人体の水平面と矢状面との交線方向（以下、人体の水平面と矢状面との交線方向を「矢状線方向」とする。）の加速度の大きさを検出することで被験者の姿勢又は活動状態を判断することができる。例えば、日常生活における姿勢を考えると、被験者が立ち姿勢あるいは座り姿勢にある場合、加速度センサ１３は人体の正中線方向（頭部から下肢方向）のみに重力加速度Ｇを検出することになる。一方、被験者が立ち姿勢あるいは座り姿勢から前後左右方向にある角度で傾斜する場合、加速度センサ１３は重力加速度Ｇを人体の正中線方向の加速度と矢状線方向の加速度として検出することになる。また、被験者が顔面を上または下へ向けた寝姿勢にある場合、加速度センサ１３は人体の矢状線方向のみに重力加速度Ｇを検出することになる。さらに、被験者が倒立姿勢にある場合、加速度センサ１３は人体の正中線方向（下肢から頭部方向）のみに重力加速度Ｇを検出することになる。
【００４８】
また、日常生活において歩行している場合、加速度センサ１３が測定する人体の正中線方向の加速度は一定間隔で重力加速度Ｇを中心に増減を繰り返すことになる。さらに、走行している場合、加速度センサ１３が測定する人体の正中線方向の加速度は歩行時の間隔より短い一定の間隔で重力加速度Ｇを中心に大きく増減を繰り返すことになる。
【００４９】
なお、加速度センサ１３が加速度の絶対値を正確に測定できれば、一軸であっても被検者の姿勢及び活動に伴う加速度を検出することができる。加速度センサ１３に加わる重力加速度Ｇの前記軸方向への分力から被験者の姿勢及び活動に伴う加速度を検出可能であるためである。加速度センサ１３を二軸とすることで上下、前後及び左右のうち２方向の加速度を検出することができ、被検者の詳細な姿勢や複雑な活動状態が判断可能となる。
【００５０】
加速度センサ１３を備えた血圧測定装置１１１を外耳の一部に装着することにより、被験者の姿勢又は活動状態を判断できる加速度を常時検出できるようになる。被験者の血圧値や外耳道温度は測定時の被験者の姿勢及び測定直前の活動状態で大きく変動するため、加速度は常時検出することが望ましい。
【００５１】
従って、血圧測定装置１１１を外耳の一部に装着することにより、被検体の行動を制約することなく常時装着して血圧値及び脈波を検出する血圧測定ができるとともに、外気温度に影響され難い核心温の温度変化に追従して常時モニタすることができ、かつ精度良く被験者の姿勢又は活動状態の情報を収集することができる。そのため、血圧測定装置１１１によって正しい診断及び疾患予防方法立案のための正確な生体情報データを提供することができる。
【００５２】
なお、本願の実施形態では、加速度センサ１３の少なくとも一軸は人体の正中線と平行であり、かつ他の一軸は人体の水平面と矢状面との交線と平行であることが好ましい。血圧測定装置１１１を外耳道９に挿入したときに加速度センサ１３の少なくとも一軸を人体の正中線と平行に、他の一軸を人体の水平面と矢状面との交線と平行に配置することによって、加速度センサ１３は被験者の動きが最も多い方向の加速度を検出することができ、血圧測定装置１１１は正確な被験者の姿勢又は活動状態を判断できる生体情報データを得ることができる。以下で説明する実施形態においても加速度センサ１３を同様に配置することが好ましい。
【００５３】
（実施の形態２）
本願の実施形態に係る血圧測定装置は、前記温度センサ、前記血圧計及び前記加速度センサを外耳の一部に装着する装着部をさらに備える。
【００５４】
図２（Ａ）は、本願の発明の他の実施形態に係る血圧測定装置１１２の側面を示す概略図である。図２（Ａ）において図１で用いた符号と同じ符号は同じ構成及び同じ機能である。
【００５５】
血圧測定装置１１２は図２（Ａ）に示すように、温度センサ１１、血圧計１２、加速度センサ１３、第一のアーム２１、第二のアーム２２、支軸２５、接触部２７及び距離可変機構４０を備える。図２（Ａ）において、温度センサ１１と血圧計１２は第一のアーム２１に、加速度センサ１３は支軸２５に配置される。
【００５６】
図２（Ａ）の血圧測定装置１１２において装着部２０は第一のアーム２１、第二のアーム２２及び支軸２５で構成され、第一のアーム２１、第二のアーム２２の各々の一方の一端が支軸２５に接続されている。
【００５７】
図２（Ａ）に示す血圧測定装置１１２の構成例においては、第一のアーム２１と第二のアーム２２が互いに対向する面の距離を可変する可変機構として、支軸２５と第一のアーム２１の接続部分に距離可変機構４０を備えている。距離可変機構４０は支軸２５と第一のアーム２１の角度を変化させて図２（Ａ）に示す角度αを変化させることにより、第一のアーム２１と第二のアーム２２が互いに対向する面の間隔を調整する機能を有する。
【００５８】
ここで、距離可変機構４０の角度を可変にする機構としては、支軸２５と第一のアーム２１の角度をネジにより調整する機構、あるいはフリクションとネジ固定を併用する機構などのいずれでもよい。
【００５９】
図２（Ａ）の血圧測定装置１１２において、温度センサ１１と血圧計１２は第一のアーム２１に、加速度センサ１３は支軸２５に配置される。また、第二のアーム２２には第一のアーム２１上の血圧計１２に対向する位置に血圧測定部位と接触する接触部２７を配置している。なお、第一のアーム２１に接触部２７を、第二のアーム２２に血圧計１２を備えてもよい。図２（Ａ）に示す血圧測定装置１１２の血圧計１２は圧力を印加するカフを含む血圧センサの場合を想定して示しているが、圧力を印加するカフを含む血圧センサによる血圧の測定法については後述する。
【００６０】
図２（Ｂ）に血圧測定装置１１２の装着例を示す。図２（Ｂ）は血圧測定装置１１２を外耳の一部に装着した図であり、血圧測定装置１１２について上面から見た図である。血圧測定装置１１２は温度センサ１１と血圧計１２が配置されている第一のアーム２１の支軸２５と接続していない一端を外耳道９に挿入し、血圧計１２を外耳の一部、例えば耳珠１の内側に接触させるように装着する。さらに、第二のアーム２２の接触部２７を耳珠１の外側に接触させ、血圧計１２と接触部２７で挟むように装着する。ここで、血圧計１２と接触部２７との間隔は距離可変機構４０により、適切な接触状態に調整することができる。図２（Ｂ）において、第一のアーム２１の一部及び血圧計１２は外耳道９の内側にあるので破線で示している。また、温度センサ１１は外耳道９の内部にあるため同様に破線で示している。
【００６１】
装着部２０を備えることで、血圧測定装置１１２を外耳の一部に確実に装着できる。従って、被験者の姿勢又は活動状態に関わらず、血圧計１２は同一箇所の血圧値、脈波を及び温度センサ１１は同一箇所の外耳道温度を検出できるため精度良く血圧測定及び外耳道の温度測定をすることができる。
【００６２】
また、頭部は作業や運動をしても他の部位に比べ動きが少ない。血圧測定装置１１２を頭部にある耳に固定することで、被験者の作業や運動等の外乱の影響が少なくなり、精度良く加速度を検出することができ、被験者の姿勢又は活動状態を正確に判断することができる。
【００６３】
従って、血圧測定装置１１２は常時装着して血圧値及び脈波を検出する血圧測定が精度良くできるとともに、外気温度に影響され難い核心温の温度変化を精度よく常時モニタすることができ、かつ精度良く被験者の姿勢又は活動状態の正確な情報を収集することができる。そのため、正しい診断及び疾患予防方法立案のための正確な生体情報データを提供することができる。
【００６４】
（実施の形態３）
本願の実施形態に係る血圧測定装置は、前記温度センサの検出した外耳道内の温度、前記血圧計の検出した脈波及び前記加速度センサの検出した加速度のうち少なくとも一つと前記血圧計の検出した血圧値を関連付けて記憶する記憶手段をさらに備える。
【００６５】
図３は、本願の発明の他の実施形態に係る血圧測定装置１１３の側面を示す概略図である。図３において図１及び図２で用いた符号と同じ符号は同じ構成及び同じ機能である。図３の血圧測定装置１１３は図２の血圧測定装置１１２に、温度センサ１１の検出した外耳道温度、血圧計１２の検出した脈波及び加速度センサ１３の検出した加速度のうち少なくとも一つと血圧計１２の検出した血圧値とを記憶する記憶手段３５をさらに備えたものである。図３の血圧測定装置１１３では記憶手段３５は第二のアーム２２に配置されているが、配置する箇所は特には限定されない。なお、図３に示す血圧測定装置１１３の血圧計１２は圧力を印加するカフを含む血圧センサの場合を想定して示しているが、圧力を印加するカフを含む血圧センサによる血圧の測定法については後述する。
【００６６】
血圧測定装置１１３は血圧測定装置１１２と同様に外耳の一部に装着でき、血圧測定装置１１２と同様に血圧値、脈波、外耳道温度及び加速度を検出することができる。
【００６７】
記憶手段３５は温度センサ１１、血圧計１２、加速度センサ１３と図示しない信号線で接続される。前記信号線を介し、記憶手段３５に温度センサ１１からは検出した外耳道温度、血圧計１２からは検出した血圧値及び脈波、加速度センサ１３からは検出した少なくとも二軸の加速度が送られる。記憶手段３５は外耳道温度、脈波及び加速度のうち少なくとも一つと血圧値を関連付けて生体情報データとして記憶していく。さらに、記憶手段３５は血圧値、外耳道温度及び加速度を検出した時刻も関連付けて記憶しても良い。
【００６８】
図９に記憶手段３５が記憶する生体情報データの例を示す。図９において、例えば、データ９１は血圧測定装置１１３が２００４年１１月１９日１９時２５分に測定した結果であって、最高血圧は１２６ｍｍＨｇ、最低血圧は７６ｍｍＨｇ、外耳道温度は３６．８℃、加速度は正中線方向に重力加速度１Ｇを検出している。なお、図９は検出時刻、血圧値、外耳道温度及び加速度を記憶している例を示したが、記憶する生体情報データの項目は、例えば血圧値と外耳道温度あるいは血圧値と加速度のように任意の組み合わせとして記憶しても良い。
【００６９】
また、記憶手段３５には図示しない外部出力端子があり、定期的に外部のコンピュータ等の解析システムに記憶したデータを出力してもよい。
【００７０】
記憶手段３５を備えることで、被験者は測定の度に血圧測定装置１１３が検出した血圧値、脈波、外耳道温度及び加速度を記録する必要がなく、被験者の行動の制約は少なくなる。そのため、長期間血圧測定装置１１３を装着することができ、長期間の生体情報データを収集することができる。従って、血圧測定装置１１３を外耳の一部に装着することにより、被験者の行動を制約することなく常時装着して血圧値及び脈波を検出する血圧測定ができるとともに、外気温度に影響され難い核心温の温度変化に追従して常時モニタすることができ、かつ精度良く被験者の姿勢又は活動状態を判断できる加速度を長期にわたって収集できる。そのため、血圧測定装置１１３によって正しい診断及び疾患予防方法立案のための正確な生体情報データを提供することができる。
【００７１】
（実施の形態４）
本願の実施形態に係る血圧測定装置は、前記加速度データを演算して被験者の姿勢又は活動状態を判断する演算部をさらに備える。
【００７２】
また、前記記憶手段は、前記演算部の判断した前記被験者の姿勢又は活動状態を記憶してもよい。
【００７３】
図４は、本願の発明の他の実施形態に係る血圧測定装置１１４の側面を示す概略図である。図４において図１、図２及び図３で用いた符号と同じ符号は同じ構成及び同じ機能である。なお、図４に示す血圧測定装置１１４の血圧計１２は圧力を印加するカフを含む血圧センサの場合を想定して示しているが、圧力を印加するカフを含む血圧センサによる血圧の測定法については後述する。図４の血圧測定装置１１４は図３の血圧測定装置１１３に、前記加速度センサが検出した加速度を演算して被験者の姿勢又は静止、歩行、走行等の被験者の活動状態を判断する演算部４６をさらに備えたものである。図４の血圧測定装置１１４では演算部４６は第二のアーム２２に配置されているが、配置する箇所は特には限定されない。演算部４６は温度センサ１１、血圧計１２、加速度センサ１３及び記憶手段３５と図示しない信号線で接続される。演算部４６は、検出され又は記憶された加速度を演算し、被験者の姿勢又は活動状態の情報を得ることができる。
【００７４】
例えば、二軸方向の加速度において、人体の正中線方向（頭部から下肢方向を正方向とする。）の加速度を加速度ｙ、人体の矢状線方向（背から腹方向を正方向とする。）の加速度を加速度ｘとすれば、次式で被験者の姿勢の正中線からの傾斜角度ｆを計算できる。
【数１】
2006204320.tif 000003
【００７５】
例えば、図９のデータ９５の場合、ｆ＝０．３４７ｒａｄとなり、被験者が２０°程度前傾した状態で測定していたことが判断できる。
【００７６】
被験者の姿勢により外耳の高さと心臓の高さとの差が変わるため、外耳の一部で測定した血圧値は被験者の姿勢により誤差を生ずる。従って、予め入力した被験者の外耳の高さと心臓の高さとの差及び演算部４６で演算した傾斜角度ｆにより、被験者の姿勢による血圧値の誤差を補正することができる。
【００７７】
また、演算部４６は加速度ｘと加速度ｙの測定結果から静止、歩行、走行等の被験者の活動状態を判断することができる。図１０に加速度センサ１３が測定した加速度ｘと加速度ｙの時間波形の一例を示す。例えば、演算部４６は以下のように被験者の活動状態を判断する。ｔ０〜ｔ１の時間において加速度ｘは０、加速度ｙはＧであるため被験者の活動状態は直立であると判断する。同様にｔ２〜ｔ３の時間、ｔ４〜ｔ５の時間も直立であると判断する。また、ｔ１〜ｔ２の時間において加速度ｙが０．５〜１．０ｓｅｃ間隔で重力加速度Ｇを中心に増減を繰り返しているため、被験者の活動状態は歩行であると判断する。さらに、ｔ５〜ｔ６の時間において加速度ｙが０．１〜０．５ｓｅｃ間隔で重力加速度Ｇを中心に増減を繰り返し、かつ歩行状態の場合より振幅が大きいため被験者の活動状態は走行であると判断する。一方、ｔ３〜ｔ４の時間は加速度ｘが−Ｇであり、加速度ｙが０であるため、被験者の活動状態は仰向けあると判断する。
【００７８】
血圧測定装置１１４は血圧測定装置１１２と同様に外耳の一部に装着でき、血圧測定装置１１２と同様に血圧値、脈波、外耳道温度及び加速度を検出することができる。さらに被験者の姿勢による血圧値の補正をすることができ、また、被験者の活動状態に対する血圧値、脈波及び外耳道温度の推移を監視することもできる。
【００７９】
従って、血圧測定装置１１４を外耳の一部に装着することにより、被験者の行動を制約することなく常時装着して血圧値及び脈波を検出する血圧測定が精度良くできるとともに、外気温度に影響され難い核心温の温度変化に追従して常時モニタすることができ、かつ精度良く被験者の姿勢又は活動状態を判断できる加速度を同時に収集できる。そのため、血圧測定装置１１４によって正しい診断及び疾患予防方法立案のための正確な生体情報データを提供することができる。
【００８０】
また、演算部４６の判断した被験者の姿勢又は活動状態の情報量は前記加速度の情報量より少ない。そのため、前記加速度ではなく、演算部４６の判断した被験者の姿勢又は活動状態を記憶手段３５に記憶させることで記憶手段３５の記憶する情報量を少なくすることができ、後に生体情報データを解析する場合に解析時間を短くすることができる。
さらに、演算部４６では被験者の立位静止、歩行、走行の歩数も計測することができるため、血圧測定装置１１４を健康管理及びカロリー消費計算のための歩数計測器としても使用できる。
【００８１】
（実施の形態５）
本願の実施形態に係る血圧測定装置において、前記血圧計は外耳の一部を圧迫するカフを有する。
【００８２】
図５は、本願の発明の他の実施形態に係る血圧測定装置１１５の側面を示す概略図である。図５において図１、図２、図３及び図４で用いた符号と同じ符号は同じ構成及び同じ機能である。
【００８３】
血圧測定装置１１５は図５に示すように、温度センサ１１、カフ１２ａ、空気パイプ１２ｂ、空気供給排気部１２ｃ、空気圧センサ１２ｄ、加速度センサ１３、第一のアーム２１、第二のアーム２２、支軸２５、接触部２７及び距離可変機構４０を備える。
【００８４】
血圧測定装置１１５において血圧計１２はカフ１２ａ、空気パイプ１２ｂ、空気供給排気部１２ｃ及び空気圧センサ１２ｄから構成される。
【００８５】
図５に示すカフ１２ａは空気により伸縮する部材で構成される。また、カフ１２ａは接触部２７に対向するように第一のアーム２１に配置される。
【００８６】
図５に示す血圧測定装置１１５の例においては、カフ１２ａに空気パイプ１２ｂが接続され、空気パイプ１２ｂは第二のアーム２２の中を通り、支軸２５が接続する端において外部に引き出される。空気パイプ１２ｂは空気供給排気部１２ｃと空気圧センサ１２ｄに接続される。空気供給排気部１２ｃからの空気によりカフ１２ａは膨張し、カフ１２ａと接触部２７との間に挟まれる耳珠１を圧迫する。空気圧センサ１２ｄは耳珠１を圧迫する圧力としてカフ１２ａの内圧を測定する。なお、第一のアーム２１に接触部２７を、第二のアーム２２にカフ１２ａを備えてもよい。また、接触部２７を備えずに第一のアーム２１と第二のアーム２２の両方にカフ１２ａを備え、両方のカフ１２ａで被検体を圧迫してもよい。カフ１２ａは空気供給により膨張して耳珠１を圧迫するとして説明したが、他の方法で耳珠１を圧迫してもよい。なお、実施の形態１〜４で説明した血圧測定装置１１１〜１１４の血圧計１２も血圧測定装置１１５の血圧計１２と同様に構成され動作する。
【００８７】
図５（Ｂ）に血圧測定装置１１５の装着例を示す。図５（Ｂ）は血圧測定装置１１５を外耳の一部に装着した図であり、血圧測定装置１１５については上面から見た図である。
【００８８】
血圧測定装置１１５は図２で説明した血圧測定装置１１２と同様に外耳の一部に装着される。
【００８９】
外耳の一部に装着された血圧測定装置１１５の血圧計１２は、以下のように動作する。カフ１２ａは空気圧センサ１２ｄが所定の値になるまで空気供給排気部１２ｃから空気パイプ１２ｂにより空気の供給を受ける。供給された空気によりカフ１２ａが膨らみ、耳珠１を圧迫し、耳珠１内部の血流を停止する状態にする。その後、空気供給排気部１２ｃは空気パイプ１２ｂからカフ１２ａの内部の空気を徐々に排気して、耳珠１を圧迫する圧力を減少させる。耳珠１を圧迫する圧力の減少に伴い、耳珠１内の血流が流れ始め、カフ１２ａの圧迫による前記血流の脈動が始まる。前記血流の脈動はカフ１２ａの圧力変動として空気パイプ１２ｂを介して空気圧センサ１２ｄで脈波として検出することができる。カフ１２ａ内の空気がさらに排気されると、耳珠１を圧迫する圧力が弱くなり、前記血流の脈動が消滅し空気圧センサ１２ｄは脈波を検出できなくなる。例えば、前記血流の脈動が始まったときの空気圧センサ１２ｄの圧力を最高血圧、前記血流の脈動を検出できなくなったときの空気圧センサ１２ｄの圧力を最低血圧とすることができる。また、空気圧センサ１２ｄの検出した脈波の周波数を脈拍とすることができる。カフ１２ａ内に供給した空気が排気され、カフ１２ａが耳珠１を圧迫しなくなった時点で血圧測定装置１１５の血圧計１２は血圧測定を終了する。従って、血圧測定装置１１５の血圧計１２は血圧値と脈波を検出することができる。
【００９０】
血圧測定装置１１５は血圧測定装置１１２と同様に外耳の一部に装着でき、血圧測定装置１１２と同様に血圧値、脈波、外耳道温度及び加速度を検出することができる。
【００９１】
従って、血圧測定装置１１５を外耳の一部に装着することにより、被験者の行動を制約することなく常時装着して血圧値及び脈波を検出する血圧測定が精度良くできるとともに、外気温度に影響され難い核心温の温度変化に追従して常時モニタすることができ、かつ精度良く被験者の姿勢又は活動状態の情報を収集することができる。そのため、血圧測定装置１１５によって正しい診断及び疾患予防方法立案のための正確な生体情報データを提供することができる。
【００９２】
なお、図５における血圧測定装置１１５のカフ１２ａは空気圧により膨らみ、耳珠１を圧迫する構成であるが、カフ１２ａをアクチュエータとして耳珠１を圧迫する構成としてもよい。
【００９３】
血圧測定装置１１５において、温度センサ１１はサーミスタであり、カフ１２ａの圧迫面に装備されていることが好ましい。
【００９４】
サーミスタは接触型温度センサであり、正確な温度測定をするためには被測定物の表面に確実に接触することが求められる。サーミスタをカフ１２ａの圧迫面に装備することで、血圧測定時にサーミスタは外耳道９表面に確実に接触することになる。従って、血圧測定と同時に外耳道温度を正確に検出することができる。
【００９５】
（実施の形態６）
本願の実施形態に係る血圧測定装置の血圧計は血圧測定部位を圧迫する圧力を感圧導電ゴムで測定してもよい。
【００９６】
図６は、本願の発明の他の実施形態に係る血圧測定装置１１６の側面を示す概略図である。図６において図５で用いた符号と同じ符号は同じ構成及び同じ機能である。血圧測定装置１１６と血圧測定装置１１５との違いは空気圧センサ１２ｄを備えず、感圧導電ゴム６１及び電気抵抗測定器６２を備えたことである。血圧測定装置１１６において血圧計１２はカフ１２ａ、空気パイプ１２ｂ、空気供給排気部１２ｃ、感圧導電ゴム６１及び電気抵抗測定器６２から構成される。図６において、感圧導電ゴム６１及び電気抵抗測定器６２の駆動回路、信号受信回路、表示回路、電源回路などの通常の技術により実現できる回路および信号線は図示していない。
【００９７】
感圧導電ゴム６１は、印加する圧力により形状が変化し電気抵抗値が変わる特性を有する。感圧導電ゴムは絶縁性のゴム材料中に炭素、金属等の導電性粒子がほぼ均等に分散された状態で成形されており、圧力を印加しない場合、前記導電性粒子は互いに接触しておらず４０ＭΩ程度の高い電気抵抗値を示している。一方、感圧導電ゴムに圧力を印加すると、前記導電性粒子が接触し始め、ゴム内に導電経路が形成され、圧力に応じ導電経路が増えて電気抵抗値が５Ω程度と低くなる。つまり、感圧導電ゴム６１は圧力を印加すると電気抵抗値が低くなり、圧力電気抵抗値が高くなる性質を有する。
【００９８】
電気抵抗測定器６２は感圧導電ゴム６１の電気抵抗値を測定する測定器である。
【００９９】
感圧導電ゴム６１は温度センサ１１と接触しないようにカフ１２ａの表面に配置される。図６の血圧測定装置１１６では感圧導電ゴム６１はカフ１２ａの表面に配置されているが、接触部２７の表面に配置しても良い。
【０１００】
電気抵抗測定器６２は第一のアーム２１に配置され、図示しない信号線により感圧導電ゴム６１と接続される。図６の血圧測定装置１１６では、電気抵抗測定器６２は第一のアーム２１に配置されるが、配置される箇所は特に限定されない。
【０１０１】
外耳の一部に装着された血圧測定装置１１６の血圧計１２は、血圧測定装置１１５で説明したように動作する。
【０１０２】
血圧測定装置１１６の血圧計１２では血圧測定装置１１５の血圧計１２の空気圧センサ１２ｄが測定していたカフ１２ａの耳珠１を圧迫する圧力を感圧導電ゴム６１が測定することになる。また、感圧導電ゴム６１は血管の脈動を感知し、電気抵抗値の時間波形に前記脈動に応じた波形（以下、電気抵抗値の時間波形に前記脈動応じた波形を「脈動波形」とする。）を発生させる。
【０１０３】
カフ１２ａが耳珠１を圧迫し、徐々に耳珠１を圧迫する圧力を減少させた時の血管の脈動状態から血圧値を測定することができる。例えば、前記脈動波形が発生した時の感圧導電ゴム６１の電気抵抗値から特定される圧力を最高血圧とし、前記脈動波形が消滅した時の感圧導電ゴム６１の電気抵抗値から特定される圧力を最低血圧とすることができる。また、前記脈動波形の周波数から脈拍を測定することもできる。  
【０１０４】
感圧導電ゴム６１はカフ１２ａが耳珠１を圧迫する圧力を直接測定するため、耳珠１が圧迫される圧力を正確に検出することができる。従って、血圧測定装置１１６の血圧計１２は正確な血圧値と脈波を検出することができる。
【０１０５】
血圧測定装置１１６は血圧測定装置１１５と同様、血圧測定と同時に温度センサ１１で外耳道温度を検出することができ、加速度センサ１３により加速度を検出できる。
【０１０６】
従って、血圧測定装置１１６を外耳の一部に装着することにより、被験者の行動を制約することなく常時装着して血圧値及び脈波を検出する血圧測定が精度良くできるとともに、外気温度に影響され難い核心温の温度変化に追従して常時モニタすることができ、かつ精度良く被験者の姿勢又は活動状態の情報を収集することができる。そのため、血圧測定装置１１６によって正しい診断及び疾患予防方法立案のための正確な生体情報データを提供することができる。
【０１０７】
（実施の形態７）
本願の実施形態に係る血圧測定装置の血圧計は出力光を血圧測定部位の組織に入射させる発光素子と、前記組織からの散乱光を受光する受光素子とを含んでもよい。
【０１０８】
図７（Ａ）は、本願の発明の他の実施形態に係る血圧測定装置１１７の側面を示す概略図である。図７（Ａ）において図５で用いた符号と同じ符号は同じ構成及び同じ機能である。血圧測定装置１１７と血圧測定装置１１５との違いは、カフ１２ａ内を備えず、カフ７２ａ、発光素子７６及び受光素子７７を備えたことである。血圧測定装置１１７において、血圧計１２はカフ７２ａ、空気パイプ１２ｂ、空気供給排気部１２ｃ、空気圧センサ１２ｄ、発光素子７６及び受光素子７７から構成される。図７（Ａ）および以下の図において、発光素子７６および受光素子７７の駆動回路、信号受信回路、表示回路、電源回路などの通常の技術により実現できる回路および信号線は図示していない。
【０１０９】
カフ７２ａは空気により伸縮する部材で構成され、圧迫部の一部が光透過性のある材料で形成された光透過部を有する。
【０１１０】
発光素子７６は血液中のヘモグロビンに吸収されやすい波長の照射光Ａを耳珠１に向けて照射する素子である。
【０１１１】
受光素子７７は、照射光Ａが被検体の血管の脈動に伴う血液中のヘモグロビン量の増減によって吸収及び散乱して生じた散乱光Ｂを受光し光電気変換する素子である。血圧測定装置１１７の血圧計１２は受光素子７７から出力される信号を図示しない信号受信回路で処理することにより、血管の脈動に対応する脈波を検出することができる。
【０１１２】
図７（Ａ）は、例えば、カフ７２ａ内部に発光素子７６と受光素子７７が設置され、発光素子７６の発光する照射光Ａを耳珠１に照射し、照射光Ａが耳珠１内で散乱された散乱光Ｂを受光素子７７で受光する状態を示している。ここで、受光素子７７は、発光素子７６から耳珠１へ照射した照射光Ａが耳珠１内で散乱された散乱光Ｂを受光する位置に設置されている。
【０１１３】
外耳の一部に装着された血圧測定装置１１７は、図５の血圧測定装置１１５で説明したように動作する。
【０１１４】
カフ７２ａが耳珠１を圧迫し、徐々に耳珠１を圧迫する圧力を減少させた時の血管の脈動状態から血圧値を検出することができる。例えば、前記脈動が発生した時の空気圧センサ１２ｄの測定する圧力を最高血圧とし、前記脈動が消滅した時の空気圧センサ１２ｄの測定する圧力を最低血圧とすることができる。また、前記検出した脈波の周波数から脈拍を検出することもできる。従って、血圧測定装置１１７の血圧計１２は血圧値と脈波を検出することができる。
【０１１５】
血圧測定装置１１７は血圧測定装置１１５と同様、血圧測定と同時に温度センサ１１で外耳道温度を正確に検出することができ、加速度センサ１３により加速度を検出できる。
【０１１６】
従って、血圧測定装置１１７を外耳の一部に装着することにより、被験者の行動を制約することなく常時装着して血圧値及び脈波を検出する血圧測定が精度良くできるとともに、外気温度に影響され難い核心温の温度変化に追従して常時モニタすることができ、かつ精度良く被験者の姿勢又は活動状態の情報を収集することができる。そのため、血圧測定装置１１７によって正しい診断及び疾患予防方法立案のための正確な生体情報データを提供することができる。
【０１１７】
なお、血圧測定装置１１７は図７（Ｂ）のようにカフ７２ａに発光素子７６、接触部２７に受光素子７７を配置、図７（Ｃ）のようにカフ７２ａに受光素子７７、接触部２７に発光素子７６、図７（Ｄ）のように接触部２７に発光素子７６及び受光素子７７を配置しても良い。
【０１１８】
（実施の形態８）
本願の実施形態に係る血圧測定装置において、前記装着部の一部は外耳道に配置され、前記温度センサは赤外線センサであり、外耳道に配置された前記装着部の一部の先端に配置されている。
【０１１９】
図８（Ａ）は、本願の発明の他の実施形態に係る血圧測定装置１１８の側面を示す概略図である。図８（Ａ）において図１及び図２で用いた符号と同じ符号は同じ構成及び同じ機能である。
【０１２０】
血圧測定装置１１８は図８（Ａ）に示すように、温度センサ１１、血圧計１２、加速度センサ１３、第一のアーム２１、第二のアーム２２、支軸２５、接触部２７及び距離可変機構４０を備える。
【０１２１】
血圧測定装置１１８において温度センサ１１は赤外線センサであり、第二のアーム２２の支軸２５が接続しない端の先端に配置される。赤外線センサは生体表面から放射される赤外線を受光し電気信号として出力する温度センサである。熱型センサ又は量子型センサを使用することができるが、設置が容易で安価な熱型センサのサーモパイルを使用することが好ましい。
【０１２２】
血圧測定装置１１８は血圧測定装置１１２と同様に装着する。図６（Ｂ）は血圧測定装置１１８を外耳の一部に装着した例を示した図であり、血圧測定装置１１８については上面から見た図である。
【０１２３】
血圧測定装置１１８は血圧測定装置１１２と同様に血圧計１２により血圧測定を行い、加速度センサ１３により加速度を検出することができる。また、温度センサ１１である赤外線センサは第一のアーム２１の先端に配置されるため、第一のアーム２１が届かない外耳道９の深部の外耳道温度あるいは鼓膜の温度も検出できる。なお、図８では図示していないが、血圧計１２は実施の形態５で説明した血圧測定装置１１５の血圧計１２と同様の構成であり、同様に動作をする。
【０１２４】
また、赤外線センサは応答速度が速いため測定時間の短縮化を図ることができる。
【０１２５】
従って、血圧測定装置１１８を外耳の一部に装着することにより、被験者の行動を制約することなく常時装着して血圧値及び脈波を検出する血圧測定ができるとともに、外気温度に影響され難い核心温の温度変化に追従して常時モニタすることができ、かつ精度よく被験者の姿勢又は活動状態の情報を収集することができる。そのため、血圧測定装置１１８によって正しい診断及び疾患予防方法立案のための正確な生体情報データを提供することができる。
【産業上の利用可能性】
【０１２６】
本願発明の血圧測定装置は、健康保持や健康診断のための生体情報を検出する健康器具に適用することができる。
【図面の簡単な説明】
【０１２７】
【図１】本願発明に係る実施形態の血圧測定装置の構成を示す図であり、（Ａ）は血圧測定装置１１１の一形態を示した図であり、（Ｂ）は血圧測定装置１１１の装着例を示した図である。
【図２】本願発明に係る実施形態の血圧測定装置の構成を示す図であり、（Ａ）は血圧測定装置１１２の一形態を示した図であり、（Ｂ）は血圧測定装置１１２の装着例を示した図である。
【図３】本願発明に係る実施形態の血圧測定装置の構成を示す図であり、血圧測定装置１１３の一形態を示した図である。
【図４】本願発明に係る実施形態の血圧測定装置の構成を示す図であり、血圧測定装置１１４の一形態を示した図である。
【図５】本願発明に係る実施形態の血圧測定装置の構成を示す図であり、（Ａ）は血圧測定装置１１５の一形態を示した図であり、（Ｂ）は血圧測定装置１１５の装着例を示した図である。
【図６】本願発明に係る実施形態の血圧測定装置の構成を示す図であり、血圧測定装置１１６の一形態を示した図である。
【図７】本願発明に係る実施形態の血圧測定装置の構成を示す図であり、（Ａ）、（Ｂ）、（Ｃ）及び（Ｄ）はそれぞれ血圧測定装置１１７の一形態を示した図である。
【図８】本願発明に係る実施形態の血圧測定装置の構成を示す図であり、（Ａ）は血圧測定装置１１８の一形態を示した図であり、（Ｂ）は血圧測定装置１１８の装着例を示した図である。
【図９】本願発明に係る実施形態の血圧測定装置の記憶手段が記憶する生体情報データの例を示した図である。
【図１０】本願発明に係る実施形態の血圧測定装置の加速度センサが測定した加速度ｘと加速度ｙの時間波形の一例を示した図である。
【符号の説明】
【０１２８】
１１１、１１２、１１３、１１４、１１５、１１６、１１７、１１８  血圧測定装置
１  耳珠
９  外耳道
１０  アーム
１１  温度センサ
１２  血圧計
１２ａ  カフ
１２ｂ  空気パイプ
１２ｃ  空気供給排気部
１２ｄ  空気圧センサ
１３  加速度センサ
２１  第一のアーム
２２  第二のアーム
２５  支軸
２７  接触部
３５  記憶手段
４０  距離可変機構
４６  演算部
６１  感圧導電ゴム
６２  電気抵抗測定器
７２ａ  カフ
７６  発光素子
７７  受光素子
９１、９２、９３、９４、９５、９６  データ
Ａ  照射光
Ｂ  散乱光
Ｇ  重力加速度
ｔ１、ｔ２、ｔ３、ｔ４、ｔ５、ｔ６  時刻
【図１】
2006204320.tif 000004
【図２】
2006204320.tif 000005
【図３】
2006204320.tif 000006
【図４】
2006204320.tif 000007
【図５】
2006204320.tif 000008
【図６】
2006204320.tif 000009
【図７】
2006204320.tif 000010
【図８】
2006204320.tif 000011
【図９】
2006204320.tif 000012
【図１０】
2006204320.tif 000013